(57)【特許請求の範囲】
【請求項１】
最大の制御チャネル要素（ＣＣＥ）から最小のＣＣＥまでの初期見積を用いて物理ダウンリンク制御チャネル（ＰＤＣＣＨ）信号を復号する方法であって、
前記ＰＤＣＣＨ信号における選択されたＣＣＥセグメントを見積もることと、
ＰＤＣＣＨにおける可能なすべてのＣＣＥの組み合わせを、最大のＣＣＥを先頭に持ち、最大のＣＣＥから最小のＣＣＥの順にしたがったセットへソートすることと、
前記ソートされたすべてのセットを、最大数の要素から最小数の要素へ、あるいはその逆に順序付けることと、
最小数の要素を持つセットから始まって、前記順序付けられたセットからの要素を用いて、低減された探索空間のブラインド探索を実行することとを備える方法。
【請求項２】
最大の制御チャネル要素（ＣＣＥ）から最小のＣＣＥまでの初期見積を用いて物理ダウンリンク制御チャネル（ＰＤＣＣＨ）ブラインド復号の処理オーバヘッドを低減させるためのステップを含むプログラムであって、
コンピュータに、
ＰＤＣＣＨ信号における選択されたＣＣＥセグメントを見積もるステップと、
ＰＤＣＣＨにおける可能なすべてのＣＣＥの組み合わせを、最大のＣＣＥを先頭に持ち、最大のＣＣＥから最小のＣＣＥの順にしたがったセットへソートするステップと、
前記ソートされたすべてのセットを、最大数の要素から最小数の要素へ、あるいはその逆に順序付けるステップと、
最小数の要素を持つセットから始まって、前記順序付けられたセットからの要素を用いて、低減された探索空間のブラインド探索を実行するステップとを行わせる、プログラム。
【請求項３】
最大の制御チャネル要素（ＣＣＥ）から最小のＣＣＥまでの初期見積を用いて物理ダウンリンク制御チャネル（ＰＤＣＣＨ）信号を復号するための装置であって、
前記ＰＤＣＣＨ信号をブラインド復号するように構成された回路を備え、
前記ＰＤＣＣＨ信号の情報ビット数の初期見積もりは、前記ＰＤＣＣＨ内のＣＣＥの可能なすべての組み合わせを、セットの最初に最大のＣＣＥを有するセットへソートすることに基づき、
前記セット内の小さなＣＣＥは、最大から最小の順序で順序付けられ、
前記回路は、前記ソートされたすべてのセットを、最大数の要素うちの少なくとも１つから最小数の要素へ、あるいはその逆に順序付け、
前記回路は、最小数の要素を持つセットから始まって、前記順序付けられたセットからの要素を用いて、低減された探索空間のブラインド探索を実行することができる装置。
【請求項４】
最大の制御チャネル要素（ＣＣＥ）から最小のＣＣＥまでの初期見積を用いて物理ダウンリンク制御チャネル（ＰＤＣＣＨ）信号を復号するための装置であって、
前記ＰＤＣＣＨ信号における選択されたＣＣＥセグメントを見積もる手段と、
前記ＰＤＣＣＨ内のＣＣＥの可能なすべての組み合わせを、セットの最初に最大のＣＣＥを有し、前記セット内の小さなＣＣＥは、最大から最小の順序で順序付けられるセットへソートする手段と、
前記ソートされたすべてのセットを、最大数の要素から最小数の要素へ、あるいはその逆に順序付ける手段と、
前記最小数の要素を持つセットから始まって、前記順序付けられたセットからの要素を用いて、低減された探索空間のブラインド探索を実行する手段とを備える装置。
【請求項５】
物理ダウンリンク制御チャネル（ＰＤＣＣＨ）信号を復号する方法であって、
前記ＰＤＣＣＨ信号を受信することと、
前記ＰＤＣＣＨ信号における選択された制御チャネル要素（ＣＣＥ）セグメントを見積もることによって、前記ＰＤＣＣＨ信号で使用される情報ビットの最大数を見積もることと、
候補数の情報ビットを、情報ビットの第１のセットに制約することと、
前記第１のセットの第１のサブセットを、前記第１のセット内にはないＲＥの第２のセットへマップすることと、
前記第１のセットの第２のサブセットを、前記第１のセット内にはないＲＥの第３のセットへマップすることと、
前記各セット内の要素の連結を、最大から最小への順になるように制約することと、
先ず前記第１のセット内の要素に基づいてブラインド復号を実行し、次に、前記第２のセットおよび前記第３のセットの要素に対してブラインド復号を続けることとを備える方法。
【請求項６】
情報ビットの前記第１のセットは、｛３２，４０，４８，５６，６４｝からなり、｛３２，４０，４８｝からなる前記第１のサブセットは、｛３６，７２｝ＲＥからなる前記第２のセットにマップし、｛５６，６４｝からなる前記第２のサブセットは、｛７２，１４４｝ＲＥからなる前記第３のセットにマップする請求項５に記載の方法。
【請求項７】
コンピュータに、
物理ダウンリンク制御チャネル（ＰＤＣＣＨ）信号を受信するステップと、
前記ＰＤＣＣＨ信号における選択された制御チャネル要素（ＣＣＥ）セグメントを見積もることによって、前記ＰＤＣＣＨ信号で使用される情報ビットの最大数を見積もるステップと、
候補数の情報ビットを、情報ビットの第１のセットに制約するステップと、
前記第１のセットの第１のサブセットを、前記第１のセット内にはないＲＥの第２のセットへマップするステップと、
前記第１のセットの第２のサブセットを、前記第１のセット内にはないＲＥの第３のセットへマップするステップと、
前記各セット内の要素の連結を、最大から最小への順になるように制約するステップと、
先ず前記第１のセット内の要素に基づいてブラインド復号を実行し、次に、前記第２のセットおよび前記第３のセットの要素に対してブラインド復号を続けるステップと行わせるプログラム。
【請求項８】
物理ダウンリンク制御チャネル（ＰＤＣＣＨ）信号を復号するための装置であって、
前記ＰＤＣＣＨ信号を受信する手段と、
前記ＰＤＣＣＨ信号における選択された制御チャネル要素（ＣＣＥ）セグメントを見積もることによって、前記ＰＤＣＣＨ信号で使用される情報ビットの最大数を見積もる手段と、
候補数の情報ビットを、情報ビットの第１のセットに制約する手段と、
前記第１のセットの第１のサブセットを、前記第１のセット内にはないＲＥの第２のセットへマップする手段と、
前記第１のセットの第２のサブセットを、前記第１のセット内にはないＲＥの第３のセットへマップする手段と、
前記各セット内の要素の連結を、最大から最小への順になるように制約する手段と、
先ず前記第１のセット内の要素に基づいてブラインド復号を実行し、次に、前記第２のセットおよび前記第３のセットの要素に対してブラインド復号を続ける手段とを備える装置。
【発明の詳細な説明】
【関連出願】
【０００１】
本願は、２００７年１０月３０日に出願された米国仮特許出願６０／９８３，９０７号に対する優先権を主張する。上記仮特許出願は、本願の譲受人に譲渡され、本願の発明者によって出願され、本明細書において参照によって組み込まれている。
【技術分野】
【０００２】
本開示は、一般に無線通信に関し、さらに詳しくは、ユーザ機器のための物理ダウンリンク制御チャネル（ＰＤＣＣＨ）のブラインド復号に関する。
【背景技術】
【０００３】
本書のために、以下の略語を適用する。  
ＡＭ：アクノレッジ・モード。  
ＡＭＤ：アクノレッジ・モード・データ。  
ＡＲＱ：自動反復要求。  
ＢＣＣＨ：ブロードキャスト制御チャネル。  
ＢＣＨ：ブロードキャスト・チャネル。  
Ｃ−：制御−。  
ＣＣＣＨ：共通制御チャネル。  
ＣＣＨ：制御チャネル。  
ＣＣＴｒＣＨ：符号化された合成伝送チャネル。  
ＣＰ：サイクリック・プレフィクス。  
ＣＲＣ：巡回冗長検査。  
ＣＴＣＨ：共通トラフィック・チャネル。  
Ｄ−ＢＣＨ：動的ブロードキャスト・チャネル。  
ＤＣＣＨ：専用制御チャネル。  
ＤＣＨ：専用チャンネル。  
ＤＬ：ダウンリンク。  
ＤＳＣＨ：ダウンリンク共有チャネル。  
ＤＴＣＨ：専用トラフィック・チャネル。  
ＦＡＣＨ：順方向リンク・アクセス・チャンネル。  
ＦＤＤ：周波数分割デュプレクス。  
Ｌ１：レイヤ１（物理レイヤ）。  
Ｌ２：レイヤ２（データ・リンク・レイヤ）。  
Ｌ３：レイヤ３（ネットワーク・レイヤ）。  
ＬＩ：長さインジケータ。  
ＬＳＢ：最下位ビット。  
ＭＡＣ：媒体アクセス制御。  
ＭＢＭＳ：マルチメディア・ブロードキャスト・マルチキャスト・サービス。  
ＭＣＣＨ：ＭＢＭＳポイント・トゥ・マルチポイント制御チャネル。  
ＭＲＷ：動き受信ウィンドウ。  
ＭＳＢ：最上位ビット。  
ＭＳＣＨ：ＭＢＭＳポイント・トゥ・マルチポイント・スケジューリング・チャネル。  
ＭＴＣＨ：ＭＢＭＳポイント・トゥ・マルチポイント・トラフィック・チャネル。    Ｐ−ＢＣＨ：１次ブロードキャスト・チャネル。  
ＰＣＣＨ：ページング制御チャネル。  
ＰＣＦＩＣＨ：物理制御フォーマット・インジケータ・チャネル。  
ＰＣＨ：ページング・チャネル。  
ＰＣＤＤＨ：物理ダウンリンク制御チャネル。  
ＰＤＵ：プロトコル・データ・ユニット。  
ＰＨＹ：物理レイヤ。  
ＰＨＩＣＨ：物理ハイブリッド−ＡＲＱインジケータ・チャネル。  
ＰｈｙＣＨ：物理チャネル。  
ＲＡＣＨ：ランダム・アクセス・チャネル。  
ＲＥ：リソース要素。  
ＲＳ：基準信号。  
ＲＬＣ：無線リンク制御。  
ＲｏＨＣ：ロバスト・ヘッダ圧縮。  
ＲＲＣ：ラジオ・リソース制御。  
ＳＡＰ：サービス・アクセス・ポイント。  
ＳＤＵ：サービス・データ・ユニット。  
ＳＨＣＣＨ：共有チャネル制御チャネル。  
ＳＮ：シーケンス番号。  
ＳＵＦＩ：スーパ・フィールド。  
ＴＣＨ：トラフィック・チャネル。  
ＴＤＤ：時分割デュプレクス。  
ＴＦＩ：伝送フォーマット・インジケータ。  
ＴＭ：透過モード。  
ＴＭＤ：透過モード・データ。  
ＴＴＩ：送信時間インタバル。  
Ｕ−：ユーザ−。  
ＵＥ：ユーザ機器。  
ＵＬ：アップリンク。  
ＵＭ：非アクノレッジ・モード。  
ＵＭＤ：非アクノレッジ・モード・データ。  
ＵＭＴＳ：ユニバーサル・モバイル通信システム。  
ＵＴＲＡ：ＵＭＴＳ地上ラジオ・アクセス。  
ＵＴＲＡＮ：ＵＭＴＳ地上ラジオ・アクセス・ネットワーク。
【０００４】
ユニバーサル移動体通信システム（ＵＭＴＳ）は、第３世代（３Ｇ）無線電話技術のうちの１つである。現在、ＵＭＴＳの中で最も一般的な形式は、基礎をなすエア・インターフェースとしてＷ−ＣＤＭＡを使用する。ＵＭＴＳは、第３世代パートナシップ計画（３ＧＰＰ）によって標準化されており、しばしば、この技術の３Ｇ特性と、それを引き継ぐように設計されたＧＳＭ（登録商標）規格との組み合わせを強調する方式として、３ＧＳＭとしてマーケティングされる。
【０００５】
ＵＴＲＡＮ（ＵＭＴＳ地球ラジオ・アクセス・ネットワーク）は、ＵＭＴＳラジオ・アクセス・ネットワークを構築するラジオ・ネットワーク・コントローラとノードＢとの総称用語である。ＵＴＲＡＮによって、ＵＥとコア・ネットワークとの間の接続が可能となる。ＵＴＲＡＮは、ＵＥ、ノードＢ、およびラジオ・ネットワーク・コントローラ（ＲＮＣ）を含みうる。これは、一般的な実施が、複数のノードＢにサービス提供する中央オフィスに位置する個々のＲＮＣを有しているものの、ＲＮＣとノードＢとが同じデバイスでありうることを示す。
【０００６】
ＵＭＴＳの場合、ブロードキャスト・チャネル（ＢＣＨ）は、予め定義された固定された伝送フォーマットを有し、セルの有効範囲領域全体にわたってブロードキャストされる。ＵＭＴＳ規格を改良するロング・ターム・イボリューション（ＬＴＥ）では、ブロードキャスト・チャネルは、システム・アクセスに必要な「システム情報フィールド」を送信するために使用されうる。しかしながら、システム情報フィールドのサイズが大きいので、ＢＣＨは、１次ブロードキャスト・チャネル（Ｐ−ＢＣＨ）と動的ブロードキャスト・チャネル（Ｄ−ＢＣＨ）とを含む２つの部分に分割されうる。Ｐ−ＢＣＨは、Ｄ−ＢＣＨを復調するのに有用な基本レイヤ１（物理レイヤ）／レイヤ２（データ・リンク・レイヤ）（あるいは「Ｌ１／Ｌ２」）システム・パラメータを含みうる。これらパラメータは、残りのシステム情報フィールドを含みうる。
【０００７】
ＵＥは、いくつかの可能なフォーマットおよび関連付けられた制御チャネル要素（ＣＣＥ）から、物理ダウンリンク制御チャネル（ＰＤＣＣＨ）をブラインド復号する必要があると考えられる。残念ながら、これは、ＵＥに実質的な負荷を課すことになり、現実的なハードウェアの限界を超えてしまうので、ＵＥのコスト上昇および／またはパフォーマンス低下を招く。
【０００８】
したがって、この問題に対処する必要性がある。したがって、この問題およびその他の問題に対処するための方法およびシステムが、本明細書において開示される。
【発明の概要】
【０００９】
前述したニーズは、本開示によって大いに満たされる。
【００１０】
本開示のさまざまな態様のうちの１つでは、ＰＤＣＣＨ信号をブラインド復号するための処理オーバヘッドを低減する方法が提供される。この方法は、ＰＤＣＣＨ信号における適切なサイズのＣＣＥセグメントを見積もることと、見積もられたＣＣＥセグメントの、隣接するＣＣＥアグリゲーションのレベルを含むツリー構造を生成することとを備える。ＣＣＥアグリゲーションは、見積もられたＣＣＥセグメントの倍数である。この方法はさらに、アグリゲーションのレベルを階層順に構成することを備える。おのおののレベルの初期位置は、その他すべてのレベルの初期位置と整合している。この方法はさらに、ツリー構造によって定義される境界を用いることによって、ＰＤＣＣＨ信号を復号する。これら境界は、探索経路を形成し、ブラインド復号のための低減された探索を可能とする。
【００１１】
本開示のその他さまざまな他の態様のうちの１つでは、コンピュータ読取可能製品が提供される。このコンピュータ読取可能製品は、ＰＤＣＣＨ信号における適切なサイズのＣＣＥセグメントを見積り、見積もられたＣＣＥセグメントの、隣接するＣＣＥアグリゲーションのレベルを含むツリー構造を生成し、アグリゲーションのレベルを階層順に構成し、ツリー構造によって定義される境界を用いることによって、ＰＤＣＣＨ信号を復号するためのコードを含む。ここで、ＣＣＥアグリゲーションは、見積もられたＣＣＥセグメントの倍数であり、おのおののレベルの初期位置は、その他すべてのレベルの初期位置と整合しており、境界は、探索経路を形成し、ブラインド復号のための低減された探索を可能とする。
【００１２】
本開示のさまざまな態様のうちの１つでは、ＰＤＣＣＨブラインド復号のための処理オーバヘッドを低減するように構成された装置が提供される。この装置は、ＰＤＣＣＨ信号における適切なサイズのＣＣＥセグメントを見積もることが可能であり、見積もられたＣＣＥセグメントの、隣接するＣＣＥアグリゲーションのレベルを含むツリー構造を生成することが可能であり、アグリゲーションのレベルを階層順に構成することが可能であり、ツリー構造によって定義される境界を用いることによって、ＰＤＣＣＨ信号を復号することが可能な回路を備える。ここで、ＣＣＥアグリゲーションは、見積もられたＣＣＥセグメントの倍数であり、おのおののレベルの初期位置は、その他すべてのレベルの初期位置と整合しており、境界は、探索経路を形成し、ブラインド復号のための低減された探索を可能とする。
【００１３】
本開示のさまざまな態様のうちの１つでは、ＰＤＣＣＨブラインド復号のための処理オーバヘッドを低減する装置が提供される。この装置は、ＰＤＣＣＨ信号における適切なサイズのＣＣＥセグメントを見積もる手段と、見積もられたＣＣＥセグメントの、隣接するＣＣＥアグリゲーションのレベルを含む構造を生成する手段と、アグリゲーションのレベルを階層順に構成する手段と、構造によって定義される境界を用いることによって、ＰＤＣＣＨ信号を復号する手段とを備える。ここで、ＣＣＥアグリゲーションは、見積もられたＣＣＥセグメントの倍数であり、おのおののレベルの初期位置は、その他すべてのレベルの初期位置と整合しており、境界は、探索経路を形成し、ブラインド復号のための低減された探索を可能とする。
【００１４】
本開示のさまざまな態様のうちの１つでは、最大のＣＣＥから最小のＣＣＥまでの初期見積を用いてＰＤＣＣＨブラインド復号の処理オーバヘッドを低減する方法が提供される。この方法は、ＰＤＣＣＨ信号における適切な最大サイズのＣＣＥセグメントを見積もることと、ＰＤＣＣＨにおける可能なすべてのＣＣＥの組み合わせを、最大のＣＣＥを先頭に持ち、最大のＣＣＥから最小のＣＣＥの順にしたがったセットへソートすることと、ソートされたすべてのセットを、最大数の要素から最小数の要素へ、あるいはその逆に順序付けることと、最小数の要素を持つセットから始まって、順序付けられたセットからの要素を用いて、低減された探索空間のブラインド探索を実行することとを備える。
【００１５】
本開示のさまざまな態様のうちの１つでは、最大のＣＣＥから最小のＣＣＥまでの初期見積を用いてＰＤＣＣＨブラインド復号の処理オーバヘッドを低減するための命令群を含むコンピュータ読取可能製品が提供される。このコンピュータ読取可能製品は、ＰＤＣＣＨにおける可能なすべてのＣＣＥの組み合わせを、最大のＣＣＥを先頭に持ち、最大のＣＣＥから最小のＣＣＥの順にしたがったセットへソートすることと、ソートされたすべてのセットを、最大数の要素から最小数の要素へ、あるいはその逆に順序付けることと、最小数の要素を持つセットから始まって、順序付けられたセットからの要素を用いて、低減された探索空間のブラインド探索を実行することとを備える。
【００１６】
本開示のさまざまな態様のうちの１つでは、最大のＣＣＥから最小のＣＣＥまでの初期見積を用いてＰＤＣＣＨブラインド復号の処理オーバヘッドを低減する装置が提供される。この装置は、ＰＤＣＣＨ信号をブラインド復号するように構成された回路を備える。ここでは、ＰＤＣＣＨ信号の情報ビットの番号の初期見積値が、ＰＤＣＣＨにおける可能なすべてのＣＣＥの組み合わせを、最大のＣＣＥを先頭に持ち、最大のＣＣＥから最小のＣＣＥの順にしたがったセットへソートすることに基づく。この回路は、ソートされたすべてのセットを、最大数の要素から最小数の要素へ、あるいはその逆に順序付けることができる。また、この回路は、最小数の要素を持つセットから始まって、順序付けられたセットからの要素を用いて、低減された探索空間のブラインド探索を実行することができる。
【００１７】
本開示のさまざまな態様のうちの１つでは、最大のＣＣＥから最小のＣＣＥまでの初期見積を用いてＰＤＣＣＨブラインド復号の処理オーバヘッドを低減するように構成された装置が提供される。この装置は、ＰＤＣＣＨにおける可能なすべてのＣＣＥの組み合わせを、最大のＣＣＥを先頭に持ち、最大のＣＣＥから最小のＣＣＥの順にしたがったセットへソートする手段と、ソートされたすべてのセットを、最大数の要素から最小数の要素へ、あるいはその逆に順序付ける手段と、最小数の要素を持つセットから始まって、順序付けられたセットからの要素を用いて、低減された探索空間のブラインド探索を実行する手段とを備える。
【００１８】
本開示のさまざまな態様のうちの１つでは、ＰＤＣＣＨブラインド復号のための処理オーバヘッドを低減する方法が提供される。この方法は、ＰＤＣＣＨ信号を受信することと、ＰＤＣＣＨ信号で使用される情報ビットの最大数を見積もることと、候補数の情報ビットを、情報ビットの第１のセットに制約することと、第１のセットの第１のサブセットを、第１のセット内にはない第２のセットへマップすることと、第１のセットの第２のサブセットを、第１のセット内にはない第３のセットへマップすることと、これらセット内の要素の連結を、最大から最小への順になるように制約することと、先ず第１のセット内の要素に基づいてブラインド復号を実行し、次に、第２のセットおよび第３のセットの要素に対してブラインド復号を続けることとを備える。
【００１９】
本開示のさまざまな態様のうちの１つでは、ＰＤＣＣＨ信号を受信し、ＰＤＣＣＨ信号で使用される情報ビットの最大数を見積り、候補数の情報ビットを、情報ビットの第１のセットに制約し、第１のセットの第１のサブセットを、第１のセット内にはない第２のセットへマップし、第１のセットの第２のサブセットを、第１のセット内にはない第３のセットへ加え、これらセット内の要素の連結を、最大から最小への順になるように制約し、先ず第１のセット内の要素に基づいてブラインド復号を実行し、次に、第２のセットおよび第３のセットの要素に対してブラインド復号を続けるためのコードを含むコンピュータ読取可能製品が提供される。
【００２０】
本開示のさまざまな態様のうちの１つでは、ＰＤＣＣＨブラインド復号のための処理オーバヘッドを低減するように構成された装置が提供される。この装置は、ＰＤＣＣＨ信号を受信する手段と、ＰＤＣＣＨ信号で使用される情報ビットの最大数を見積もる手段と、候補数の情報ビットを、情報ビットの第１のセットに制約する手段と、第１のセットの第１のサブセットを、第１のセット内にはない第２のセットへマップする手段と、第１のセットの第２のサブセットを、第１のセット内にはない第３のセットへマップする手段と、これらセット内の要素の連結を、最大から最小への順になるように制約する手段と、先ず第１のセット内の要素に基づいてブラインド復号を実行し、次に、第２のセットおよび第３のセットの要素に対してブラインド復号を続ける手段とを備える。
【図面の簡単な説明】
【００２１】
【図１】図１は、多元接続無線通信システムの実例である。
【図２】図２は、ＭＩＭＯ構成における送信機システムおよび受信機システムの実施形態のブロック図である。
【図３】図３は、多元接続無線通信システムの実例である。
【図４Ａ】図４Ａは、１ミリ秒のサブフレームにおけるＰＤＣＣＨを例示する図である。
【図４Ｂ】図４Ｂは、ＣＣＥ階層を例示する図である。
【図５】図５は、異なる帯域幅、ＰＤＣＣＨスパン、およびショートＣＰに応じたＰＤＣＣＨの数を示すグラフ表示である。
【図６】図６は、異なる帯域幅、ＰＤＣＣＨスパン、およびショートＣＰに応じたＰＤＣＣＨの数を示すグラフ表示である。
【図７】図７は、異なる帯域幅、ＰＤＣＣＨスパン、およびショートＣＰに応じたＰＤＣＣＨの数を示すグラフ表示である。
【図８】図８は、異なる帯域幅、ＰＤＣＣＨスパン、およびショートＣＰに応じたＰＤＣＣＨの数を示すグラフ表示である。
【図９】図９は、隣接したツリー・ベースの連結のグラフ表示を提供する。
【図１０】図１０は、典型的な処理を例示するフローチャートを含む。
【発明を実施するための形態】
【００２２】
さまざまな態様が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００２３】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２４】
さらに、本明細書ではさまざまな実施形態が、アクセス端末に関連して記載される。アクセス端末はまた、システム、加入者ユニット、加入者局、モバイル局、モバイル、遠隔局、遠隔端末、モバイル端末、ユーザ端末、端末、無線通信デバイス、ユーザ・エージェント、ユーザ・デバイス、あるいはユーザ機器（ＵＥ）とも称されうる。アクセス端末は、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、計算デバイス、あるいは、無線モデムに接続されたまたは無線モデムを利用するその他の処理デバイスでありうる。さらに、さまざまな実施形態が、本明細書では基地局に関して記載される。基地局は、アクセス端末と通信するために利用することができ、アクセス・ポイント、ノードＢ、ｅノードＢ（ｅＮＢ）、あるいはその他のいくつかの専門用語で称されうる。以下に示す記載のコンテキストに依存し、適用される関連する通信システムにしたがって、ノードＢという用語は、ｅＮＢと置換されうる。また、その逆もありうる。
【００２５】
直交周波数分割多重化（ＯＦＤＭ）通信システムは、システム帯域全体を、複数（ＮＦ個）のサブキャリアへと効率的に分割する。これらは周波数サブキャリア、トーン、または周波数ビンとも称されうる。ＯＦＤＭシステムの場合、送信されるべきデータ（すなわち、情報ビット）は、まず、特定の符合化スキームを用いて符合化され、符合化されたビットが生成される。そして、符合化されたビットはさらに、複数のビット・シンボルへグループ化される。これらはその後、変調シンボルへマップされる。おのおのの変調シンボルは、データ送信のために使用される特定の変調スキーム（例えば、Ｍ−ＰＳＫまたはＭ−ＱＡＭ）によって定義された信号コンステレーション内のポイントに対応する。おのおのの周波数サブキャリアの帯域幅に依存しうる各時間インタバルにおいて、ＮＦ個の周波数サブキャリアのおのおので変調シンボルが送信される。ＯＦＤＭは、システム帯域幅にわたる別の減衰量によって特徴付けられる周波数選択フェージングによって引き起こされるシステム間干渉（ＩＳＩ）と格闘するために使用されうる。
【００２６】
複数入力複数出力（ＭＩＭＯ）通信システムは、データ送信のために、複数（ＮＴ個）の送信アンテナと、複数（ＮＲ個）の受信アンテナを適用する。ＮＴ個の送信アンテナおよびＮＲ個の受信アンテナによって形成されるＭＩＭＯチャネルは、ＮＳ個の独立チャネルへ分割される。ここでＮＳ≦ｍｉｎ｛ＮＴ、ＮＲ｝である。ＮＳ個の独立チャネルのおのおのは、ＭＩＭＯチャネルの空間サブキャリアとも称され、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【００２７】
ＯＦＤＭを適用するＭＩＭＯシステム（すなわち、ＭＩＭＯ−ＯＦＤＭシステム）の場合、データ送信のためにＮＳ個の空間サブチャネルのおのおので、ＮＦ個の周波数サブキャリアが利用可能である。おのおのの空間サブチャネルの周波数サブキャリアは、送信チャネルと称されうる。ＮＴ個の送信アンテナとＮＲ個の受信アンテナとの間には、データ送信のために利用可能な送信チャネルが存在しうる。
【００２８】
ＭＩＭＯ−ＯＦＤＭシステムの場合、おのおのの空間サブチャネルのＮＦ個の周波数サブチャネルは、異なるチャネル条件（例えば、異なるフェージング効果およびマルチパス効果）を経験し、異なる信号対雑音および干渉比（ＳＮＲ）を達成することができる。送信された変調シンボルはおのおのの、シンボルが送信された送信チャネルの応答によって影響される。送信機と受信機との間の通信チャンネルのマルチパス・プロファイルに依存して、周波数応答は、おのおのの空間サブチャネルのシステム帯域幅全体にわたって大きく変わるかもしれないし、空間サブチャネル内でさらに大きく変わるかもしれない。
【００２９】
図１に示すように、１つの実施形態にしたがう多元接続無線通信システムが例示される。アクセス・ポイント１００（ＡＰ）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）は、アンテナ１１２および１１４と通信する。ここで、アンテナ１１２および１１４は、順方向リンク１２０によってアクセス端末１１６へ情報を送信し、逆方向リンク１１８によってアクセス端末１１６から情報を受信する。アクセス端末１２２は、アンテナ１０６、１０８と通信する。ここで、アンテナ１０６、１０８は、順方向リンク１２６によってアクセス端末１２２へ情報を送信し、逆方向リンク１２４によってアクセス端末１２２から情報を受信する。ＦＤＤシステムでは、通信リンク１１８、１２０、１２４および１２６は、通信のために異なる周波数を使用することができる。例えば、順方向リンク１２０は、逆方向リンク１１８によって使用されるものとは異なる周波数を使用することができる。
【００３０】
通信するように設計された領域および／またはアンテナのおのおののグループは、しばしば、アクセス・ポイントのセクタと称される。実施形態では、おのおののアンテナ・グループは、アクセス・ポイント１００によってカバーされる領域のセクタ内のアクセス端末と通信するように設計される。
【００３１】
順方向リンク１２０、１２６による通信では、アクセス・ポイント１００の送信アンテナは、異なるアクセス端末１１６、１２４のための順方向リンクの信号対雑音比を向上するために、ビームフォーミングを利用する。さらに、有効範囲にわたってランダムに散在するアクセス端末へ送信するためにビームフォーミングを用いるアクセス・ポイントは、近隣セル内のすべてのアクセス端末へ単一のアンテナによって送信しているアクセス・ポイントよりも、近隣セル内のアクセス端末へ少ない干渉しかもたらさない。
【００３２】
アクセス・ポイントは、端末と通信するために使用される固定局であり、アクセス・ポイント、ノードＢ、またはその他いくつかの用語でも称されうる。アクセス端末は、アクセス端末、ユーザ機器（ＵＥ）、無線通信デバイス、端末、アクセス端末、あるいは他のいくつかの用語でも称されうる。
【００３３】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリームのトラフィック・データが、データ・ソース２１２から送信（ＴＸ）データ・プロセッサ２１４に提供される。
【００３４】
実施形態では、おのおののデータ・ストリームは、それぞれの送信アンテナを通して送信される。ＴＸデータ・プロセッサ２１４は、トラフィック・データをフォーマットし、このデータ・ストリームのために選択された特定の符合化スキームに基づいて符号化し、インタリーブして、符合化されたデータを提供する。
【００３５】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームに関する多重化されたパイロットおよび符合化されたデータは、データ・ストリームのために選択された特定の変調スキーム（例えば、ＢＰＳＫ、ＱＰＳＫ、Ｍ−ＰＳＫ、またはＭ−ＱＡＭ）に基づいて変調（例えば、シンボル・マップ）され、変調シンボルが提供される。おのおののデータ・ストリームのデータ・レート、符号化、および変調は、プロセッサ２３０によって実行される命令群によって決定されうる。メモリ２３２は、プロセッサ２３０へのメモリ・サービスをサポートすることができる。
【００３６】
すべてのデータ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００３７】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機２２２ａ乃至２２２ｔからのＮＴ個の変調信号は、ＮＴ個のアンテナ２２４ａ乃至２２４ｔそれぞれから送信される。
【００３８】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３９】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００４０】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。メモリ２６２は、プロセッサ２７０へのメモリ・サービスをサポートすることができる。
【００４１】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００４２】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符合化行列を使用するかを決定するために、この抽出されたメッセージを処理する。
【００４３】
図３に示すように、１つの態様にしたがった多元接続無線通信システム３００が例示される。多元接続無線通信システム３００は、セル３０２、３０４および３０６を含む複数の領域を含んでいる。図３の態様では、セル３０２、３０４および３０６はおのおのの、複数のセクタを含むノードＢを含むことができる。これら複数のセクタは、セルの一部内のＵＥとの通信を担当するアンテナをおのおの備えたアンテナのグループによって形成されうる。例えば、セル３０２では、アンテナ・グループ３１２、３１４および３１６は、おのおの異なるセクタに対応する。セル３０４では、アンテナ・グループ３１８、３２０および３２２は、おのおの異なるセクタに対応する。セル３０６では、アンテナ・グループ３２４、３２６および３２８は、おのおの異なるセクタに対応する。
【００４４】
セル３０２、３０４および３０６のおのおのは、例えばユーザ機器すなわちＵＥであるいくつかの無線通信デバイスを含みうる。これらは、おのおののセル３０２、３０４、および３０６の１または複数のセクタと通信しうる。例えば、ＵＥ３３０および３３２は、ノードＢ３４２と通信し、ＵＥ３３４および３３６は、ノードＢ３４４と通信し、ＵＥ３３８および３４０は、ノードＢ３４６と通信しうる。
【００４５】
情報および／またはデータは、チャネルによって伝送される。チャネルは、コンテキストおよびその用途に応じて、物理的なハードウェア、周波数、時間帯域、論理的な接続、あるいは抽象的な表現等によって表現されうる。ＵＭＴＳフレームワークでは、論理チャネルが、制御チャネルとトラフィック・チャネルとに分類される。論理制御チャネルは、以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、以下を備える。ユーザ情報を転送するための、１つのＵＥに専用のポイント・トゥ・ポイント双方向チャネルである専用トラフィック・チャネル（ＤＴＣＨ）。トラフィック・データを送信するためのポイント・トゥ・マルチポイントＤＬチャネルのためのマルチキャスト・トラフィック・チャネル（ＭＴＣＨ）。
【００４６】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンクは共有データ・チャネル（ＵＬ−ＳＤＣＨ）、および複数のＰＨＹチャネルを備える。ＰＨＹチャネルは、ＤＬチャネルとＵＬチャネルとのセットを備える。
【００４７】
ＤＬ  ＰＨＹチャネルは、以下を備える。  
共通パイロット・チャネル（ＣＰＩＣＨ）、  
同期チャネル（ＳＣＨ）、  
共通制御チャネル（ＣＣＣＨ）、  
共有ＤＬ制御チャネル（ＳＤＣＣＨ）、  
マルチキャスト制御チャネル（ＭＣＣＨ）、  
共有ＵＬ割当チャネル（ＳＵＡＣＨ）、  
アクノレッジメント・チャネル（ＡＣＫＣＨ）、  
ＤＬ物理共有データ・チャネル（ＤＬ−ＰＳＤＣＨ）、  
ＵＬ電力制御チャネル（ＵＰＣＣＨ）、  
ページング・インジケータ・チャネル（ＰＩＣＨ）、  
負荷インジケータ・チャネル（ＬＩＣＨ）。
【００４８】
ＵＬ  ＰＨＹチャネルは、以下を備える。  
物理ランダム・アクセス・チャネル（ＰＲＡＣＨ）、  
チャネル品質インジケータ・チャネル（ＣＱＩＣＨ）、  
アクノレッジメント・チャネル（ＡＣＫＣＨ）、  
アンテナ・サブセット・インジケータ・チャネル（ＡＳＩＣＨ）、  
共有要求チャネル（ＳＲＥＱＣＨ）、  
ＵＬ物理共有データ・チャネル（ＵＬ−ＰＳＤＣＨ）、  
ブロードキャスト・パイロット・チャネル（ＢＰＩＣＨ）。
【００４９】
態様では、シングル・キャリア波形の低ＰＡＲ（所与の時間において、チャネルは、周波数において隣接しているか、あるいは一定の間隔をもって配置されている）特性を維持するチャネル構造が提供される。
【００５０】
ＵＭＴＳの場合、ブロードキャスト・チャネル（ＢＣＨ）は、予め定められた固定の伝送フォーマットを有し、セルの有効範囲領域全体にわたってブロードキャストされうる。ＬＴＥでは、システム・アクセスに必要な「システム情報フィールド」を送信するために、ブロードキャスト・チャネルが使用される。しかしながら、システム情報フィールドのサイズは大きいので、ＢＣＨは、１次ブロードキャスト・チャネル（Ｐ−ＢＣＨ）と動的ブロードキャスト・チャネル（Ｄ−ＢＣＨ）とを含む複数の部分に分割されうる。Ｐ−ＢＣＨは、Ｄ−ＢＣＨを復調するのに有用な基本レイヤ１（物理レイヤ）／レイヤ２（データ・リンク・レイヤ）（あるいは「Ｌ１／Ｌ２」）システム・パラメータを含みうる。これらパラメータは、残りのシステム情報フィールドを含みうる。
【００５１】
ダウンリンク・ページング・シナリオに関し、ＢＣＨを複数の部分に分割することの例が、図４Ａに提供されている。ここでは、ＰＤＣＣＨとＰＤＳＣＨとが、１ミリ秒のサブフレーム内に示されている。図４Ａは、サブフレームの前部が、時間ストリップ４２０内に配列されたリソース要素（ＲＥ）４１０を含んでいることを例示するのに有効である。ＯＦＤＭ環境では、ＰＤＣＣＨ構造が、ＲＥ４１０から構築されるＣＣＥに基づくことが理解される。システムに依存して、ＣＣＥ毎に３６のＲＥが存在する。ここで、おのおののＲＥ４１０は、トーンまたは変調シンボルに基づき、おのおののトーンまたは変調シンボルは、ビットのペアに対応する。すなわち、ＣＣＥはおのおのの、２ビットまたは２つの符号値からなる３６のＲＥから構成される。したがって、個々のＣＣＥおのおのについて、７２に等しい符号化されたビット／値が存在する。ＰＤＣＣＨは、より良好な情報保全を提供するために、チャネル特性が劣化した場合に、異なる時間において複数のＣＣＥを収容することができる。
【００５２】
図４Ｂは、ＣＣＥおよびそれらのビット関係を例示する図である。図４Ｂにおいて明白なように、ＣＣＥの組み合わせは、１、２、４、８のように昇順のペアである。したがって、ＣＣＥは、要素｛１、２、４、８｝のセットとして表され、最小の要素は、７２の符合化されたビットを有し、最大の要素は、５７６の符合化されたビットを有する。上述したように、ＰＤＣＣＨ構造は、ＣＣＥの組み合わせによって生成される。したがって、このＰＤＣＣＨトレインは、上記に定義されたような設定された要素のうちのさまざまな組み合わせを含みうる。例えば、ＰＤＣＣＨトレインは、１、８、８、２、４、１、８等のようなＣＣＥ要素を含むことができる。組み合わせ的に述べると、所与のサイズのＣＣＥ（Ｘ）について、制約のない構成では、合計して（Ｘ１）＋（Ｘ２）＋（Ｘ４）＋（Ｘ８）個の可能なビット組み合わせが存在する。ＣＣＥのサイズが３２である場合、ＰＤＤＣＨ内には、１０，５５４，７８８の可能なビットの組み合わせがあるだろう。いくつかの実施形態では、図４Ｂは、最大８のサイズのＣＣＥを例示しているが、設計実施によれば、それよりも多いまたは少ないＣＣＥが存在しうることが注目されるべきである。
【００５３】
ＵＥは、いくつかの可能なフォーマットおよび関連付けられた制御チャネル要素（ＣＣＥ）からの物理ダウンリンク制御チャネル（ＰＤＣＣＨ）をブラインド復号する必要性があると思われる。残念ながら、これは、実際のハードウェア制限を越えうる実質的な負荷をＵＥに課すので、ＵＥのコストの上昇およびパフォーマンスの低下をもたらす。これを考慮して、以下の典型的なアプローチは、少なくともＣＣＥの限定されたペアリング特性を利用することにより、可能な組み合わせの数を低減するように示される。
【００５４】
ブラインド復号を実行するために必要な労力を低減するために、どのようにして「ブラインド」探索が実行されるのか、および、どのようにしてＣＣＥが連結されるかを理解することを念頭においた研究成果が提供されている。
【００５５】
１つの典型的な設計解決策は、ＰＤＣＣＨ毎の情報ビット数を、可能な別の数のセットに制限することを含みうる。５セットは、本明細書で提供された例についての可能な数のうちの適切な数である。もちろん、設計選択にしたがって、それよりも多くのセット、または、それよりも少ないセットを利用することが可能である。例として、５ビットを用いると、問題は、（１）ＰＤＣＣＨに関連付けられたＣＣＥを識別すること（ＰＨＩＣＨおよびＰＤＣＣＨに関連付けられたＣＣＥをデカップリングすること）と、（２）関連付けられたＣＣＥ内のＰＤＣＣＨをブラインド復号することと、を含む２つの部分に分割されうる。
【００５６】
ＰＤＣＣＨブラインド復号に対する開示されたアプローチについて、（１）ＵＥが、特定のＰ−ＢＣＨを正しく復号することと、（２）復号されたＰ−ＢＣＨが、ＣＣＥ識別に関連する情報を含むことと、を含む多くの仮定がなされうる。
【００５７】
Ｄ−ＢＣＨのＰＤＣＣＨのない動作がない場合、関連するＰＤＣＣＨ  ＣＣＥ識別情報は、ＵＥがセルを獲得する場合についてでさえも必要とされうる。したがって、誰も、Ｄ−ＢＣＨにおける何れのシグナリングをも仮定することができない。しかしながら、Ｄ−ＢＣＨのＰＤＣＣＨのない動作が可能であれば、関連する情報が、関連するＤ−ＢＣＨ上でシグナルされうる。
【００５８】
一般に、Ｅ−ＵＴＲＡについて、考慮すべき３つのタイプのＣＣＥが存在しうる。  ・ミニＣＣＥ、  
・ＰＨＩＣＨ  ＣＣＥ、  
・ＰＤＣＣＨ  ＣＣＥ。
【００５９】
ミニＣＣＥは、４つのリソース要素（ＲＥ）からなり、ロング・サイクリック・プレフィクス（ＣＰ）シナリオにおいて引き起こるＰＨＩＣＨ構造を考慮して、定義が、２つのＲＥに変更されうることを示す。ミニＣＣＥは、ＰＣＦＩＣＨ、ＰＤＣＣＨ、およびＰＨＩＣＨのための「ビルディング・ブロック」として使用されうる。
【００６０】
ＰＨＩＣＨ  ＣＣＥは、１２のＲＥからなり、ショートＣＰが、４つのＲＥおのおのについて３つのストライプを含み、ロングＣＰが、２つのＲＥおのおのについて６つのストライプを含みうることを示す。さまざまなＬＴＥダウンリンク制御チャネルの中で、ＰＨＩＣＨは、アップリンク送信のためのＡＣＫ／ＮＡＣＫを送信するために使用されうることに留意されたい。
【００６１】
ＰＨＩＣＨは、ハイブリッドＣＤＭ−ＦＤＭ構造を有する。ハイブリッドＣＤＭ／ＦＤＭ信号によって、異なるユーザのためのアクノレッジメント間の電力制御が可能となり、良好な干渉平均化を与える。それに加えて、異なるユーザへの周波数ダイバーシティも与える。このように、ＰＨＩＣＨの電力負荷および帯域幅は、平準化される必要はなく、ＰＤＣＣＨのためのＣＣＥを識別する必要もないので、帯域幅負荷のみを考慮することによって可能である。
【００６２】
ＰＤＣＣＨ  ＣＣＥは、４つのタイプのＲＥを有することができる。この例において、それらの４つのタイプは、｛３６、７２、１４４、２８８｝のＲＥからそれぞれなる。
【００６３】
上記に基づいて、Ｎは、ダウンリンクでアクノレッジされるべき物理アップリンク共有チャネル（ＰＵＳＣＨ）の数であるとする。空間分割多元接続（ＳＤＭＡ）のためのサイクリックなシフトをシグナルするために、３ビットが存在するので、Ｎの理論最大値は、アップリンクにおける物理リソース・ブロック（ＰＲＢ）ペアの８倍（２３＝８）の数に等しい。
【００６４】
どれだけ多くのＣＣＥがＰＤＣＣＨ（割当）のために利用可能であるかをカウントすることを試みると、その他の制御情報のために使用されうるさまざまなリソースが差し引かれうる。その他の制御情報は、ＤＬ  ＡＣＫ（ＰＨＩＣＨ）およびＰＣＦＩＣＨ（物理制御フォーマット・インジケータ・チャネル）でありうる。この妥当性は、正味いくつのＣＣＥがＰＤＣＣＨで利用可能であるか、および、その情報で提供された制約に基づいてブラインド復号を行うことができるかを認識することである。
【００６５】
まず、Ｎｍａｘ＿ｐｒｂ＿ｂｗ＝ＰＵＳＣＨ送信のためのリソース・ブロック数であり、ｆ＿ＰＨＩＣＨ＝ＰＨＩＣＨリソース（物理ＨＡＲＱインジケータ・チャネル）の部分的な使用であると定義し、Ｎｍａｘ＿ｂｗ＿ｒｘが、所与の帯域幅およびＲｘアンテナの数（Ｎｒｘ）についてアクノレッジされるべきＰＵＳＣＨの最大数を示すものとすると、以下の通りとなる。  
【数１】
0005646662.tif 000002
【００６６】
設計アプローチ：まず、ＰＨＩＣＨ帯域幅負荷が、それぞれのＰＢＣＨで示されることに注目する。部分的な負荷ｆ＿ｐｈｉｃｈ＝｛１、１／２、１／４、１／８｝になるように、Ｎｍａｘ＿ｂｗ＿ｒｘの関数として、部分的な負荷を示すために２ビットが存在しうる。
【００６７】
ＰＨＩＣＨのために確保されたＲＥの数（Ｎｐｈｉｃｈ＿ｒｅ）は、判定するための重要な考慮であり、ＣＰに依存して、以下のように計算される。  
【数２】
0005646662.tif 000003
【００６８】
ＰＨＩＣＨのために確保されるＲＥの数は、それぞれのＰＣＦＩＣＨで示される値ｎと一貫性があることが必要とされる。実際、これを考慮することにより、ｅＮＢは、利益を得る。
【００６９】
例えば、ショートＣＰの場合、周波数＝５ＭＨｚ、Ｎｒｘ＝４であれば、Ｎｍａｘ＿ｂｗ＿ｒｘ＝１００であり、その結果、ｆ＿ｐｈｉｃｈ＝１となる。したがって、上記式を用いると、結果としてＮｐｈｉｃｈ＿ｒｅ（ショートＣＰの場合）＝３００が得られる。ＰＤＣＣＨにおけるＯＦＤＭシンボルの数＝１である場合、Ｎｐｈｉｃｈ＿ｒｅ（第１のシンボルにおいて利用可能なＲＥの数）＝２００となる。これは、Ｎｐｈｉｃｈ＿ｒｅ（ショートＣＰの場合）未満である。したがって、探索が顕著に低減される可能性が得られる。
【００７０】
ｎがＰＤＣＣＨスパンにおけるＯＦＤＭシンボルの数であり、本実施形態について、１、２、または３に等しいことに注目されたい。よって、ＰＨＩＣＨ＿ｒｅのために確保されたＲＥの数（Ｎｐｈｉｃｈ）は、異なる要因に基づいて変化しうる。
【００７１】
下記の表１乃至表５はさらに、異なるＣＰおよび異なる負荷の場合におけるさまざまな条件におけるＮｐｈｉｃｈ＿ｒｅの結果を概説する。  
【表１】
0005646662.tif 000004
【表２】
0005646662.tif 000005
【表３】
0005646662.tif 000006
【表４】
0005646662.tif 000007
【表５】
0005646662.tif 000008
【００７２】
次に、ＲＥへのＰＨＩＣＨ  ＣＣＥのマッピングを考える。これは、１つのＴｘアンテナしかない場合であっても、所与のＲＳについて、ＲＥの「あたりに」マップされうる。これは実質的にマッピングを単純化する。以下の定義を仮定する。  
・Ｎ＿ｒｅ＝リソース要素の数  
・Ｎｒｓ＿ｒｅ：ＲＳ（基準信号）のためのリソース要素の数  
・Ｎｐｃｆｉｃｈ＿ｒｅ：ＰＣＦＩＣＨ（物理制御フォーマット・インジケータ・チャネル）におけるリソース要素の数
インタリーバ・マッピングは、Ｎｐｈｉｃｈ＿ｒｅと、Ｔｘアンテナの数との関数として固定化されうる。以下の例では、ＰＤＣＣＨのために利用可能な正味のリソース数（割当）が計算されるが、（制御領域内の）他のタスクのために使用されるトーン（ＲＥ）が割り引かれる。その後、ＰＤＣＣＨのために、残りのＲＥが利用可能となり、本開示の目的のために、Ｎｐｄｃｃｈ＿ｒｅとして示される。これは、以下のように計算されうる。  
【数３】
0005646662.tif 000009
【００７３】
そして、利用可能なＲＥの数は、以下のように計算される。  
【数４】
0005646662.tif 000010
【００７４】
以下に示す表６および表７は、ショートＣＰおよび多くの異なるＰＨＩＳＨ負荷におけるＮｐｄｃｃｈ＿ｒｅの数を実証するために提供されている。  
【表６】
0005646662.tif 000011
【表７】
0005646662.tif 000012
【００７５】
続いて、図５乃至図８は、異なる帯域幅、ＰＤＣＣＨのスパン、およびショートＣＰの仮定のアクノレッジメントに応じたＰＤＣＣＨの数のグラフ表示を示す。ここで、我々は、ＰＤＣＣＨサイズ（ショート／ロング）が、ＣＣＥの選択に影響を与えることを認識する。例えば、所与のＰＤＣＣＨサイズは（１）ＣＣＥセット｛１，２｝に変わり、所与のＰＤＣＣＨサイズは（２）ＣＣＥセット｛４，８｝に変わる。したがって、１つの典型的な実施形態では、ＰＤＣＣＨサイズは、連結セットを決定する際のメトリックとして作用する。この情報を用いて、ブラインド復号するためにＵＥが探索せねばならないＣＣＥサイズの組み合わせの数は、送信されているＰＤＣＣＨのタイプ（サイズ）を考慮することによって低減されうる。
【００７６】
ＰＤＣＣＨブラインド復号の場合、ＰＤＣＣＨフォーマットの数は、情報ビットの最終的な数に依存しうる。３０乃至６０の範囲におよぶ情報ビット数を持つ最大５つのフォーマットを有する実施形態を仮定すると、（３６のＲＥに基づく）ＰＤＣＣＨの可能な数は、以下のように計算されうる。  
【数５】
0005646662.tif 000013
【００７７】
実際、ブラインド復号の数は、Ｎｐｄｃｃｈ＿ｍａｘとともに劇的に増加しうることが認識されるべきである。例えば、Ｎｐｄｃｃｈ＿ｍａｘ＝３の場合、｛１，１，１｝、｛２，１｝、｛１，２｝であり、２５のブラインド復号が存在する一方、Ｎｐｄｃｃｈ＿ｍａｘ＝４の場合、｛１，１，１，１｝、｛２，１，１｝、｛１，２，１｝、｛１，１，２｝、｛２，２｝、｛４｝であり、４０のブラインド復号が存在し、Ｎｐｄｃｃｈ＿ｍａｘ＝５の場合、｛１，１，１，１，１｝、｛２，１，１，１｝、｛１，２，１，１｝、｛１，１，２，１｝、｛１，１，１，２｝、｛１，４｝、｛４，１｝であり、５５のブラインド復号が存在する。
【００７８】
これらを考慮すると、所与のＵＥに対して、すべての可能なＰＤＣＣＨをモニタすることを望むことは不合理かもしれない。しかしながら、可能な数を低減するためのいくつかの観察がなされうる。
【００７９】
テールビット畳み込み符号（ＴＢＣＣ）の固有の符合化レート＝１／３の場合であって、情報ビットの数＝３０−６０であり、すべてのフォーマットについて１４４以降のＲＥには符合化利得がない場合、ＲＥの数を｛３６、７２、１４４｝に制限することができる。
【００８０】
４８未満の情報ビットについて、７２以降のＲＥには符合化利得がない場合、情報ビットの数を３０−６０へ、ＲＥの数を｛３６、７２｝に制限することができる。
【００８１】
４８を超える情報ビットのために３６のＲＥが使用される場合、符号化レートが高すぎるのであれば、情報ビットの数を４８−６０へ、ＲＥの数を｛７２、１４４｝に制限することができる。したがって、上記制約を個別にあるいは組み合わせて用い、かつ、適用可能な場合には、ＲＥまたは組み合わせの数を著しく低減することができる。
【００８２】
組み合わせ数のさらなる低減は、例えば、ＲＥを連結することが任意の位置ではなく最初において常になされることを保証することによって、多くのアプローチを用いて達成されうる。例えば、Ｎｐｄｃｃｈ＿ｍａｘ＝４は、｛１，１，１，１｝、｛２，１，１｝、｛２，２｝、｛４｝を提供するので、Ｎｐｄｃｃｈ＿ｍａｘ＝５は、｛１，１，１，１，１｝、｛２，１，１，１｝、｛２，２，１｝、｛４，１｝の結果が得られるだろう。
【００８３】
上記のセットは、同一要素の最初の「ペア」が壊れる例を示している。例えば、Ｎｐｄｃｃｈ＿ｍａｘ＝４の場合、セット｛１，１，１，１｝の最初の２つの１は、次のセット｛２，１，１｝の最初の２に織り込まれる。そして、セット｛２，１，１｝の次の２つの１は、次のセット｛２，２｝の第２の２へ織り込まれる。さらに、セット｛２，２｝の最初の２つの２は、セット｛４｝へ織り込まれる。このアプローチは、もちろん、他のＮｐｄｃｃｈ＿ｍａｘ値と同様に、Ｎｐｄｃｃｈ＿ｍａｘ＝５の場合にも適用することができる。ＣＣＥの境界が連続的でかつ「スタックされる」場合、この構成は、ツリー・ベースのアプローチであると考えられる。
【００８４】
図９は、一例として、１６のＣＣＥを用いた上述した隣接ツリー・ベースの連結のグラフィック例示９００を提供する。この例では、最大グループは８ＣＣＥ９０５であり、隣接セグメントを形成するように構成される。次のグループは、互いに連続し、かつ８ＣＣＥ９０５のセグメントのペアの上の「ツリー」に構成された４ＣＣＥ９１６のセットによって形成される。ここでは、４ＣＣＥ９１５のペアの境界９２０が、８ＣＣＥ９０５のセグメントの境界９１０と一致している。同様に、２ＣＣＥ９２５のセグメントが互いに隣接しており、境界９３０は、４ＣＣＥ９１５のセグメントの境界９２０と一致している。１ＣＣＥ９３５のセグメントの境界９４０も同様に、大きな下のＣＣＥのセグメントへ「ツリー化」される。
【００８５】
隣接しかつツリー化されたＣＣＥを持つことによって、探索アルゴリズムが簡素化される。例えば、４ＣＣＥ９１５の最大値が、ＰＤＣＣＨで使用されるべきであると理解されるのであれば、連結が、隣接しかつツリー・ベースであるとの制約を用いることによって、４ＣＣＥ９１５の境界９２０（および、同じ境界にある境界９１０）と一致するように、探索アルゴリズムが、簡素化される。２ＣＣＥ９２５の最大値が、ＰＤＣＣＨで使用されるべきであると理解される場合、探索は、２ＣＣＥ９２５の境界９３０へと簡素化されうる。明らかに、ＣＣＥサイズが既知あるいは見積もられる場合、非ＣＣＥサイズの境界における探索または復号の必要性を除去する。
【００８６】
また、上記構成によって、所与のＣＣＥの境界が、より小さなＣＣＥセグメントのすべての境界と一致することが注目されるべきである。これは著しい利点を与える。例えば、８ＣＣＥ９０５の境界９１０は、４ＣＣＥ９１５、２ＣＣＥ９２５、および１ＣＣＥ９３５のおのおのの境界と一致する。同様に、同じことが、４ＣＣＥ９１５と、その上にあるそれより小さなすべてのＣＣＥについても言える。したがって、より大きなサイズのＣＣＥおのおのの境界はまた、より小さなサイズのすべてのＣＣＥとの少なくとも１つの境界を形成する。よって、全体的な、すなわち、大きな境界において始まることによって、その境界上のより小さなサイズのＣＣＥもまた、探索において取得されうる。
【００８７】
隣接／ツリー・ベースのグルーピングにおいて明らかなように、ツリー形式ではなくルート形式による順序付けを有することを含む多くの可能な探索を加速化または低減するために、当該技術において周知である探索またはソートのためのさまざまな方法が適用されうる。
【００８８】
本開示の別の実施形態では、情報ビットの候補数を｛３２，４０，４８，５６，６４｝とする。ここで、｛３２，４０，４８｝ビットは、｛３６，７２｝ＲＥにマップし、｛５６，６４｝ビットは、｛７２，１４４｝ＲＥにマップする。
【００８９】
Ｎｐｄｃｃｈ＿ｍａｘ＝４と仮定すると、ＲＥの順序付けは、｛１，１，１，１｝、｛２，１，１｝、｛２，２｝となり、ブラインド復号の数＝（４ｘ３）＋（２ｘ５）＋（１ｘ２）＝２４ブラインド復号となる。これによって、ブラインド復号数は４０％低減される。
【００９０】
Ｎｐｄｃｃｈ＿ｍａｘ＝５と仮定すると、｛１，１，１，１，１｝、｛２，１，１，１｝、｛２，２，１｝、｛４，１｝となり、ブラインド復号の数＝（５ｘ３）＋（２ｘ５）＋（１ｘ２）＝２７ブラインド復号となる。これによって、ブラインド復号数は５１％低減される。
【００９１】
Ｎｐｄｃｃｈ＿ｍａｘ＝６と仮定すると、｛１，１，１，１，１，１｝、｛２，１，１，１，１｝、｛２，２，１，１｝、｛２，２，２｝、｛４，１，１｝、｛４，２｝となり、ブラインド復号の数＝（６ｘ３）＋（３ｘ５）＋（１ｘ２）＝２７ブラインド復号となる。この量は、Ｎｐｄｃｃｈ＿ｍａｘ＝５の場合と変わりがないことに注目されたい。
【００９２】
続いて、Ｎｐｄｃｃｈ＿ｍａｘ＝８と仮定すると、ブラインド復号の数＝（８ｘ３）＋（４ｘ５）＋（２ｘ２）＝４８ブラインド復号となる。
【００９３】
１つの可能な実施の概要が以下に詳述される。
【００９４】
ステップ１：情報ビットの候補数を、｛３２，４０，４８，５６，６４｝に限定する。ここで、｛３２，４０，４８｝ビットが｛３６，７２｝ＲＥにマップし、｛５６，６４｝ビットが｛７２，１４４｝ＲＥにマップする。
【００９５】
ステップ２：ＲＥ連結が、任意の場所ではなく、例えばａ≧ｂ≧ｃ≧・・・になる｛ａ，ｂ，ｃ，．．．｝ように、常に最初においてなされるように限定する。
【００９６】
ステップ３：所与のＵＥによってモニタされたＰＤＣＣＨの数を、８またはそれ未満に限定する。
【００９７】
さらなる最適化のために、３６のＲＥを用いることは、最小のペイロードのみに限定される。すなわち、｛３２｝ビットは、｛３６，７２｝ＲＥにマップし、｛４０，４８｝ビットは、｛７２｝ＲＥにマップし、｛５６，６４｝ビットは、｛７２，１４４｝ＲＥにマップする。例えば、Ｎｐｄｃｃｈ＿ｍａｘ＝８と仮定すると、結果として得られるブラインド復号数＝（８ｘ１）＋（４ｘ５）＋（２ｘ２）＝３２ブラインド復号となる。
【００９８】
図１０は、上記説明に基づく典型的な処理を例示するフローチャート１０００を含む。この典型的な処理は、開始１０１０後、ステップ１０２０に示すように、候補数を有限のセットへ限定する。例えば、この有限のセットは、説明の目的のために、｛３２，４０，４８，５６，６４｝で構成されうる。ステップ１０２０では、この有限のセットにおいて、要素（すなわち、サブセット）のさまざまな組み合わせが、有限のセットのメンバではない別の数のセットにマップするだろう。例えば、サブセット｛３２，４０，４８｝は、セット｛３６，７２｝の「外部」へマップされ、残りのサブセット｛５６，６４｝は、セット｛７２，１４４｝の「外部」へマップされる。ステップ１０２０の後、この典型的な処理はステップ１０３０へ進む。ここでは、ＲＥ連結を、任意の場所ではなく、予備／開始処理に限定する。この方法によって、順序付けが、それらの値に課せられる。
【００９９】
次に、この典型的な処理はステップ１０４０へ進む。ここでは、所与のＵＥによってモニタされたＰＤＣＣＨの数が、例えば、８またはそれ未満に限定される。その後、この典型的な処理は終了１０５０する。
【０１００】
本明細書に記載された技術は、さまざまな手段によって実現される。例えば、これらの技術は、ハードウェア、ソフトウェア、あるいはそれらの組み合わせによって実現される。ハードウェアで実現する場合、チャネル見積のために使用される処理ユニットは、１または複数の特定用途向けＩＣ（ＡＳＩＣ）、デジタル信号プロセッサ（ＤＳＰ）、デジタル信号処理デバイス（ＤＳＰＤ）、プログラマブル論理回路（ＰＬＤ）、フィールド・プログラマブル・ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。ソフトウェアとともに、本明細書に記載された機能を実行するモジュール（例えば、手順、機能等）によって実現される。ソフトウェア・コードは、メモリ・ユニット内に格納され、プロセッサによって実行されうる。
【０１０１】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、デジタル・バーサタイル・ディスク（ＤＶＤ）等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他さまざまな媒体を含みうる。
【０１０２】
上述したものは、１または複数の実施形態の例を含んでいる。もちろん、上述した実施形態を説明する目的で、構成要素または方法論の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神および範囲内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈されるように、用語「備える」と同様に包括的であることが意図される。
以下に、本願出願の当初の特許請求の範囲に記載された発明を付記する。
［Ｃ１］
ＰＤＣＣＨ信号をブラインド復号するための処理オーバヘッドを低減する方法であって、
ＰＤＣＣＨ信号における適切なサイズの制御チャネル要素（ＣＣＥ）セグメントを見積もることと、
前記見積もられたＣＣＥセグメントの、隣接するＣＣＥアグリゲーションのレベルを含むツリー構造を生成することとを備え、
前記ＣＣＥアグリゲーションは、前記見積もられたＣＣＥセグメントの倍数であり、  前記方法は、前記アグリゲーションのレベルを階層順に構成することを備え、
おのおののレベルの初期位置は、その他すべてのレベルの初期位置と整合しており、  前記方法は、前記ツリー構造によって定義される境界を用いることによって、前記ＰＤＣＣＨ信号を復号することを備え、
これら境界は、探索経路を形成し、ブラインド復号のための低減された探索を可能とする方法。
［Ｃ２］
前記ＣＣＥアグリゲーションは、前記見積もられたＣＣＥセグメントの偶数の倍数であるＣ１に記載の方法。
［Ｃ３］
前記ＣＣＥアグリゲーションは、前記見積もられたＣＣＥの偶数の倍数の逆数であるＣ１に記載の方法。
［Ｃ４］
前記復号することはまず、ＣＣＥアグリゲーションの最大レベルで始まるＣ１に記載の方法。
［Ｃ５］
所与のレベルの最初のＣＣＥアグリゲーションが、前記レベルのうちの最大のＣＣＥアグリゲーションであるＣ１に記載の方法。
［Ｃ６］
前記最初のＣＣＥアグリゲーションが、前記レベルのうちの最大のＣＣＥアグリゲーションになるように、すべてのレベルが順序付けられるＣ１に記載の方法。
［Ｃ７］
コンピュータ読取可能製品であって、
ＰＤＣＣＨ信号における適切なサイズの制御チャネル要素（ＣＣＥ）セグメントを見積もることと、
前記見積もられたＣＣＥセグメントの、隣接するＣＣＥアグリゲーションのレベルを含むツリー構造を生成することであって、前記ＣＣＥアグリゲーションは、前記見積もられたＣＣＥセグメントの倍数であることと、
前記アグリゲーションのレベルを階層順に構成することであって、おのおののレベルの初期位置は、その他すべてのレベルの初期位置と整合していることと、
前記ツリー構造によって定義される境界を用いることによって、前記ＰＤＣＣＨ信号を復号することであって、これら境界は、探索経路を形成し、ブラインド復号のための低減された探索を可能とすることと
のためのコードを含むコンピュータ読取可能製品。
［Ｃ８］
メモリが、ＣＣＥアグリゲーションの最大レベルで始まるブラインド復号のためのコードを含むＣ７に記載のコンピュータ読取可能製品。
［Ｃ９］
ＰＤＣＣＨブラインド復号のための処理オーバヘッドを低減するように構成された装置であって、
ＰＤＣＣＨ信号をブラインド復号するように構成された回路を備え、
前記回路は、ＰＤＣＣＨ信号における適切なサイズの制御チャネル要素（ＣＣＥ）セグメントを見積もることができ、
前記見積もられたＣＣＥセグメントの、隣接するＣＣＥアグリゲーションのレベルを含むツリー構造を生成することができ、
前記ＣＣＥアグリゲーションは、前記見積もられたＣＣＥセグメントの倍数であり、  前記回路は、前記アグリゲーションのレベルを階層順に構成することができ、
おのおののレベルの初期位置は、その他すべてのレベルの初期位置と整合しており、  前記回路は、前記ツリー構造によって定義される境界を用いることによって、前記ＰＤＣＣＨ信号を復号することができ、
これら境界は、探索経路を形成し、ブラインド復号のための低減された探索を可能とする装置。
［Ｃ１０］
前記回路は、最大のＣＣＥセグメントの境界において始まるブラインド復号を実行するＣ９に記載の装置。
［Ｃ１１］
ＰＤＣＣＨ信号をブラインド復号するための処理オーバヘッドを低減するように構成された装置であって、
ＰＤＣＣＨ信号における適切なサイズの制御チャネル要素（ＣＣＥ）セグメントを見積もる手段と、
前記見積もられたＣＣＥセグメントの、隣接するＣＣＥアグリゲーションのレベルを含む構造を生成する手段とを備え、
前記ＣＣＥアグリゲーションは、前記見積もられたＣＣＥセグメントの倍数であり、  前記装置は、前記アグリゲーションのレベルを階層順に構成する手段を備え、
おのおののレベルの初期位置は、その他すべてのレベルの初期位置と整合しており、  前記装置は、前記構造によって定義される境界を用いることによって、前記ＰＤＣＣＨ信号を復号する手段を備え、
これら境界は、探索経路を形成し、ブラインド復号のための低減された探索を可能とする装置。
［Ｃ１２］
前記ＣＣＥアグリゲーションは、前記見積もられたＣＣＥセグメントの偶数の倍数であるＣ１１に記載の装置。
［Ｃ１３］
最大の制御チャネル要素（ＣＣＥ）から最小のＣＣＥまでの初期見積を用いてＰＤＣＣＨブラインド復号の処理オーバヘッドを低減する方法であって、
ＰＤＣＣＨにおける可能なすべてのＣＣＥの組み合わせを、最大のＣＣＥを先頭に持ち、最大のＣＣＥから最小のＣＣＥの順にしたがったセットへソートすることと、
前記ソートされたすべてのセットを、最大数の要素から最小数の要素へ、あるいはその逆に順序付けることと、
最小数の要素を持つセットから始まって、前記順序付けられたセットからの要素を用いて、低減された探索空間のブラインド探索を実行することと
を備える方法。
［Ｃ１４］
最大の制御チャネル要素（ＣＣＥ）から最小のＣＣＥまでの初期見積を用いてＰＤＣＣＨブラインド復号の処理オーバヘッドを低減させるためのコードを含むコンピュータ読取可能製品であって、
前記コードは、
ＰＤＣＣＨにおける可能なすべてのＣＣＥの組み合わせを、最大のＣＣＥを先頭に持ち、最大のＣＣＥから最小のＣＣＥの順にしたがったセットへソートすることと、
前記ソートされたすべてのセットを、最大数の要素から最小数の要素へ、あるいはその逆に順序付けることと、
最小数の要素を持つセットから始まって、前記順序付けられたセットからの要素を用いて、低減された探索空間のブラインド探索を実行することと
を備えるコンピュータ読取可能製品。
［Ｃ１５］
最大の制御チャネル要素（ＣＣＥ）から最小のＣＣＥまでの初期見積を用いてＰＤＣＣＨブラインド復号の処理オーバヘッドを低減するように構成された装置であって、
ＰＤＣＣＨ信号をブラインド復号するように構成された回路を備え、
前記ＰＤＣＣＨ信号の情報ビット数の初期見積もりは、前記ＰＤＣＣＨ内のＣＣＥの可能なすべての組み合わせを、セットの最初に最大のＣＣＥを有するセットへソートすることに基づき、
前記セット内の小さなＣＣＥは、最大から最小の順序で順序付けられ、
前記回路は、前記ソートされたすべてのセットを、最大数の要素うちの少なくとも１つから最小数の要素へ、あるいはその逆に順序付け、
前記回路は、最小数の要素を持つセットから始まって、前記順序付けられたセットからの要素を用いて、低減された探索空間のブラインド探索を実行することができる装置。
［Ｃ１６］
最大の制御チャネル要素（ＣＣＥ）から最小のＣＣＥまでの初期見積を用いてＰＤＣＣＨブラインド復号の処理オーバヘッドを低減するように構成された装置であって、
前記ＰＤＣＣＨ内のＣＣＥの可能なすべての組み合わせを、セットの最初に最大のＣＣＥを有し、前記セット内の小さなＣＣＥは、最大から最小の順序で順序付けられるセットへソートする手段と、
前記ソートされたすべてのセットを、最大数の要素から最小数の要素へ、あるいはその逆に順序付ける手段と、
前記最小数の要素を持つセットから始まって、前記順序付けられたセットからの要素を用いて、低減された探索空間のブラインド探索を実行する手段と
を備える装置。
［Ｃ１７］
ＰＤＣＣＨブラインド復号のための処理オーバヘッドを低減する方法であって、
ＰＤＣＣＨ信号を受信することと、
前記ＰＤＣＣＨ信号で使用される情報ビットの最大数を見積もることと、
候補数の情報ビットを、情報ビットの第１のセットに制約することと、
前記第１のセットの第１のサブセットを、前記第１のセット内にはない第２のセットへマップすることと、
前記第１のセットの第２のサブセットを、前記第１のセット内にはない第３のセットへマップすることと、
前記各セット内の要素の連結を、最大から最小への順になるように制約することと、  先ず前記第１のセット内の要素に基づいてブラインド復号を実行し、次に、前記第２のセットおよび前記第３のセットの要素に対してブラインド復号を続けることと
を備える方法。
［Ｃ１８］
前記第１のセットは、｛３２，４０，４８，５６，６４｝ＲＥからなり、｛３２，４０，４８｝ＲＥからなる前記第１のサブセットは、｛３６，７２｝ＲＥからなる前記第２のセットにマップし、｛５６，６４｝ＲＥからなる前記第２のサブセットは、｛７２，１４４｝ＲＥからなる前記第３のセットにマップするＣ１７に記載の方法。
［Ｃ１９］
ＰＤＣＣＨ信号を受信し、
前記ＰＤＣＣＨ信号で使用される情報ビットの最大数を見積もり、
候補数の情報ビットを、情報ビットの第１のセットに制約し、
前記第１のセットの第１のサブセットを、前記第１のセット内にはない第２のセットへマップし、
前記第１のセットの第２のサブセットを、前記第１のセット内にはない第３のセットへマップし、
前記各セット内の要素の連結を、最大から最小への順になるように制約し、
先ず前記第１のセット内の要素に基づいてブラインド復号を実行し、次に、前記第２のセットおよび前記第３のセットの要素に対してブラインド復号を続ける
ためのコードを含むコンピュータ読取可能製品。
［Ｃ２０］
ＰＤＣＣＨブラインド復号のための処理オーバヘッドを低減するように構成された装置であって、
ＰＤＣＣＨ信号を受信する手段と、
前記ＰＤＣＣＨ信号で使用される情報ビットの最大数を見積もる手段と、
候補数の情報ビットを、情報ビットの第１のセットに制約する手段と、
前記第１のセットの第１のサブセットを、前記第１のセット内にはない第２のセットへマップする手段と、
前記第１のセットの第２のサブセットを、前記第１のセット内にはない第３のセットへマップする手段と、
前記各セット内の要素の連結を、最大から最小への順になるように制約する手段と、  先ず前記第１のセット内の要素に基づいてブラインド復号を実行し、次に、前記第２のセットおよび前記第３のセットの要素に対してブラインド復号を続ける手段と
を備える装置。
【図１】
0005646662.tif 000014
【図２】
0005646662.tif 000015
【図３】
0005646662.tif 000016
【図４Ａ】
0005646662.tif 000017
【図４Ｂ】
0005646662.tif 000018
【図５】
0005646662.tif 000019
【図６】
0005646662.tif 000020
【図７】
0005646662.tif 000021
【図８】
0005646662.tif 000022
【図９】
0005646662.tif 000023
【図１０】
0005646662.tif 000024